(57)【要約】      （修正有）【課題】乾式でありながら、測定技術者の技能に関係なく、微細粒度の測定を速やかに行い得るところの粒度測定機を提供する。【解決手段】分級室３に篩網１を設け、該篩網１の上面に測定粉体Ｐを供給し、前記篩網１の下方に配置された回転するノズル２により該篩網１の下面側から洗浄用のエアを噴き付け、且つ、該篩網１の下面側から所定粒径の測定粉体Ｐを吸引採取する微粉捕集機を設けてある粒度測定機。前記分級室３の前記篩網１の上面側に、外気を吸引する通気口４を設けてある。【選択図】図２
0003142887.tif 000002
【実用新案登録請求の範囲】
【請求項１】
分級室３に篩網１を設け、該篩網１の上面に測定粉体Ｐを供給し、前記篩網１の下方に配置された回転するノズル２により該篩網１の下面側から洗浄用のエアを噴き付け、且つ、該篩網１の下面側から所定粒径の測定粉体Ｐを吸引採取する微粉捕集機７を設けてある粒度測定機であって、
前記分級室３の前記篩網１の上面側に、外気を吸引する通気口４を設けてあることを特徴とする粒度測定機。
【請求項２】
前記微粉捕集機７による吸引風量１００に対して、前記洗浄用のエアの風量は、１０〜３０であることを特徴とする請求項１の粒度測定機。
【請求項３】
前記通気口４が、前記篩網１の中心部の上向に位置され、該通気口４に臨ませて測定粉体Ｐを供給するジョウロ５が設けられており、該ジョウロ５の下方には、測定粉体Ｐを分散させる円錐体６が配置されていることを特徴とする請求項１又は請求項２の粒度測定機。
【考案の詳細な説明】
【技術分野】
【０００１】  本考案は、微粉の粒度を乾式で測定できる粒度測定機に関する。
【背景技術】
【０００２】  食品、薬品等のファインパウダー等について、所望の粒度を測定するための分級、測定手段としては、篩網を用いる乾式と沈殿方式の湿式とがあるが、２０ミクロン乃至４５ミクロンなどの微粉になれば殆ど湿式で行われることが多い。湿式は、沈殿方法を用いるので非常に時間がかかるものであり、時間的な制約を受けるため、目的物乃至製造工程によっては、適用できない場合がある。【０００３】  これに対して、乾式は、殆どが篩網（シーブ）を用いるものであるから、分級、測定に際して湿式のような時間を必要としない利点がある反面、微細粉になると篩網（シーブ）の目詰まりを来たすという問題がある。
こうした問題を解消するために、篩網（シーブ）に対して、下方からエアを噴きつけ、目詰まりを回避する方法が採られている。
こうした粒度測定技術としては、
【特許文献１】特開平２００２−１８６９０８が挙げられる。
【考案の開示】
【考案が解決しようとする課題】
【０００４】  従来の乾式測定機は、篩網に対して目詰まり防止のエアを吹き付けるエア噴射手段（回転式）を備えているが、基本的には、その分級室は閉塞状態（バッチ式）とされており、篩網１が配置された分級室における分級作用としては、目詰まり防止のために噴射されたエアによって、租粒子と微細粒子との分離を図っており、そこで分離された微細粒子を、篩網を通して外部の微粉捕集機により捕集するものであった。【０００５】  このような測定機は、所定粒径の微粉を捕集するために微粉捕集機７による吸引作用を必要とするが、分級室で租粒子と微細粒子とが空中浮遊により十分に分離されるようにするために、大きな負圧が発生しない程度の吸引風量とされている。
即ち、閉塞室における微粉の浮遊状態を確保するために、大きな吸引力を作用させないようにする結果、捕集効率（時間がかかる）が低下するとともに、目詰まり防止のエアの噴射による乱流により、軽い微粉が上昇したままの状態で、下方の篩網１を通過し難いという問題があり、正確な測定が行い難いものであった。【０００６】  そこで、上述のような閉塞状態の分級室ではなく、外気からのエアの流入も図っている場合もあるが、このような構造の測定機としては、特許文献１に示すように、篩網の下方において、微粉捕集機に繋がる部屋とは別室が形成され、そこに設けた通気口から外気を導入し、篩網を通過、上昇して分級室に至り、目詰まり防止のエアと混合して分級作用を行った後、微粉を乗せて再び篩網を下方に通過して微粉捕集機に収集されるようにしたものが知られている。【０００７】  しかし、かかる構成の測定機にあっては、通気口から外気を導入することでエア量を増大させて微粉の分離作用が促進される分、先の構成の測定機よりも優れているが、篩網を通過、上昇して分級室３に至り、再び篩網を下方に通過して微粉捕集機に収集される流れ、即ち、微粉を上方に噴き上げ滞留させる作用を成すという点において、先の測定機と変わるものではなく、早期に微粉を採集して測定結果を得ることが難しいという問題は残るものであった。【０００８】  本考案は、かかる問題点に鑑み、乾式でありながら、測定技術者の技能に関係なく、微細粒度の測定を速やかに行い得るところの粒度測定機を提供することを目的とする。
【課題を解決するための手段】
【０００９】  本考案にかかる粒度測定機は、上記目的を達成するために、分級室３に篩網１を設け、該篩網１の上面に測定粉体Ｐを供給し、前記篩網１の下方に配置された回転するノズル２により該篩網１の下面側から洗浄用のエアを噴き付け、且つ、該篩網１の下面側から所定粒径の測定粉体Ｐを吸引採取する微粉捕集機７を設けてある粒度測定機であって、前記分級室３の前記篩網１の上面側に、外気を吸引する通気口４を設けてあることを特徴とする。【００１０】  本考案に言う測定粉体Ｐとは、食品、医薬品、鉱物粉体等で、その粒度は、８０ミクロン〜５０ミクロン程度は、勿論のこと、これまでの乾式分級が難しい５０ミクロン〜１０ミクロン程度の微粉も含まれる。
そして、この種の粒度測定は、例えば、２５ミクロン以下の粒度が所定量含まれた粉体において、それらの２５ミクロン以下の粒度粉体が完全に篩網を通過するのに要した時間がどの程度であるかというような結果を出すものである。この際、これに対応する目開きの篩網（２５ミクロン）が使用される。
【考案の効果】
【００１１】  本考案にかかる粒度測定機によれば、乾式でありながら、測定技術者の技能に関係なく、微細粒度の測定を速やかに、即ち、粒度では、４０ミクロン〜１０ミクロンの粉体分離を、従来に比べて測定時間を、約二分の一乃至三分の一程度（所要時間として３分程度）に短縮して行い得るという利点がある。
本考案にかかるその他の利点は、以下の説明から明らかとなろう。
【考案を実施するための最良の形態】
【００１２】  本考案においては、前記微粉捕集機７による吸引風量１００に対して、前記洗浄用のエアの風量は、１０〜３０であることが好ましい。
このように、吸引風量１００に対して、前記洗浄用のエアの風量が、１０〜３０であると、微粉の浮遊状態が良好に維持でき、従って、捕集機への吸引捕集が効率よく迅速に行い得る。【００１３】  更に、前記通気口４が、前記篩網１の中心部の上向に位置され、該通気口４に臨ませて測定粉体Ｐを供給するジョウロ５が設けられており、該ジョウロ５の下方には、測定粉体Ｐを分散させる円錐体６が配置されていることが好ましい。
このように、外気導入の開口である通気口４を利用して、ここから測定粉体Ｐを投入することで、構造的に兼用化を図り、且つ、ジョウロ５の下方から投入される測定粉体Ｐは、前記円錐体６に衝突して、分級室３に分散されることになり、ノズル２により噴射されるエアとの混合が良好に行われ易く、また、この円錐体６の上面を通過して導入される外気との混合も効率良く行われる。
【実施例】
【００１４】  本考案にかかる粒度測定機の好適実施例について、図面に基づいて以下詳述する。
図１に示すように、この粒度測定機の本体１２は、吸引捕集機７（掃除機などの負圧発生機）が接続される。この粒度測定機の本体１２の側部には、操作盤１３が設置される。その操作盤１３の側部には、電子秤１４が設けられ、測定する測定粉体Ｐ（ここでは重曹の粉体）をサンプリングして所定の重量を計量し、前記粒度測定機の本体１２に投入する。【００１５】  図２乃至図５に示すように、前記粒度測定機の本体１２の構成について述べると、略円筒状の分級室３に篩網１を設け、該篩網１の上面に測定粉体Ｐを供給し、前記篩網１の下方に配置された回転するノズル２により該篩網１の下面側から洗浄用のエアを噴き付けるように構成されており、且つ、上記したように、該篩網１の下面側から所定粒径の測定粉体Ｐを吸引採取する微粉捕集機７が導管１５を介して接続されている。
そして、前記分級室３の前記篩網１の上面側に、外気を吸引する通気口４を設けてある。【００１６】  ここでは、上記円筒状の分級室３は、前記篩網１の上方の空間として存在し、上部には、上蓋２０が勘合されている。前記篩網１の直下に配置された上記回転するノズル２は、前記分級室３に収容される大きさの管状体により構成され、回転軸１５の軸心周りに一体的に回転するように設けられたもので、その管状体の上面にスリット状のノズルが、その管状体の軸線方向に沿って形成されている。【００１７】  前記回転軸１５は、空洞に形成されていて前記ノズル２の管状体に連通されており、該回転軸１５の一部に外部の圧力エア源に繋がるパイプ１６が接続されている。尚、前記圧力源としては、工場配管のエア源としているが、また、別途敷設のコンプレッサーを用いてもよい。
前記回転軸１５は、ベルト伝道機構１７を介して、電動モーター１８により駆動される。前記電動モーター１８としては、ここでは、１５ワット（１００ボルト単相）、５０ヘルツで１８回転毎分（６０ヘルツでは２１回転毎分）のものを用いている。【００１８】  そして、前記微粉捕集機７による吸引風量１００に対して、前記洗浄用のエアの風量は、１０〜３０である。ここでは、前記微粉捕集機７による吸引風量が、毎分１．３乃至１．８立方メートル毎分で、ノズル２の噴射風量は、毎分０．２乃至０．３立方メートル毎分とされている。【００１９】  さらに、前記通気口４が、前記篩網１の中心部の上向に位置され、該通気口４に臨ませて測定粉体Ｐを供給するジョウロ５が設けられており、該ジョウロ５の下方には、測定粉体Ｐを分散させる円錐体６が配置されている。前記ジョウロ５は、円錐形をなす通常のものであり、定量投入による測定時でも、所定量を継続投入とする場合にも利用できる。【００２０】  前記通気口４には、前記分級室３の上蓋２０の開口から４本の柱１９で垂下された部位に円錐体６が設けられており、これら４本の柱１９の間を通じて外気が、前記分級室３の内部に流入するように構成されている。【００２１】  尚、図示していないが、前記分級室３の上部に感圧センサを設け、上蓋２０が勘合されたことを検知して、前記ノズル２の回転を許容するように、その電動モーター１８を電気的に制御をするように構成するのが好ましい。【００２２】  上記構成の粒度測定機によって、重曹のパウダーを測定した。この際、上記篩網１の目開きは、２５ミクロン、４５ミクロン、７５ミクロンで行った。
その結果を、従前の振動篩網と比較して、図６に示すグラフで表した。
本考案にかかる粒度測定機によれば、その測定時間を、従前技術であれば１０分以上必要であったところ、１〜３分以内に行い得るようになったもので、大幅な短縮ができたことがわかる。図６において、破線は、引用文献１の装置による２５ミクロン粉体のフィルターリング結果である。【００２３】  このような測定は、分級室３の上方から意図的に外気を導入させ、ノズル２によるエアと、反対方向からの外気によるエア流入によって微粉の浮遊状態を良好に保つことができることで、篩網１の目詰まりを回避しながら短時間に微粉を吸引除去して測定を行うことができたものと考えられる。
【産業上の利用分野】
【００２４】  本考案にかかる粒度測定機は、乾式により、各種の粉体の粒度を測定できるので、多くの産業分野、特に測定時間に制約を受ける製造工程等において威力を発揮できるので、その応用範囲は広い。
【図面の簡単な説明】
【００２５】
【図１】本考案にかかる粒度測定機を設置した全体の正面図。
【図２】本考案にかかる粒度測定機の原理を示す模式図。
【図３】本考案にかかる粒度測定機の要部の縦断正面図。
【図４】本考案にかかる粒度測定機の要部の平面面図。
【図５】本考案にかかる粒度測定機の要部の側面図。
【図６】本考案にかかる粒度測定機の測定結果を示すグラフ。
【符号の説明】
【００２６】１：篩網
２：ノズル
３：分級室
４：通気口
５：ジョウロ
６：円錘体
Ｐ：測定粉体
【図１】
0003142887.tif 000003
【図２】
0003142887.tif 000004
【図３】
0003142887.tif 000005
【図４】
0003142887.tif 000006
【図５】
0003142887.tif 000007
【図６】
0003142887.tif 000008